(57)【要約】      （修正有）【課題】他にパレットを用いることなく、フレキシブルコンテナバッグがフォークリフトで容易に運搬され、且つ、コンテナの輸送量が増加できて、輸送コストが引き下げられるパレット機能付きフレキシブルコンテナバッグを提供する。【解決手段】上部に注入口４４を有し、底部４１と該底部４１から上に延伸してなっている囲い部４２とからなった袋状のフレキシブルコンテナバッグにおいて、前記底部４１の底面に、それぞれが他の一つと平行に且つそれ自体に沿って内部にトンネルがなるように延在してから底部の周縁より突出し且つそこに開口していてフォークリフトのフォークが挿入される一対のフォークスリーブ手段５が構成設置されていることを特徴とするパレット機能付きフレキシブルコンテナバッグを提供する。【選択図】図４
2005162299.tif 000002
【特許請求の範囲】
【請求項１】
上部に注入口を有し、底部と該底部から上に延伸してなっている囲い部とからなった袋状のフレキシブルコンテナバッグにおいて、
前記底部の底面、それぞれが他の一つと平行に且つそれ自体に沿って内部にトンネルがなるように延在してから底部の周縁より突出しそこに開口していてフォークリフトのフォークが挿入される一対のフォークスリーブ手段が構成設置されていることを特徴とするパレット機能付きフレキシブルコンテナバッグ。
【請求項２】
前記一対のフォークスリーブ手段は、いずれも可撓的長尺材で、その前記底部の周縁より突出した両端部以外の長手方向に沿う両側縁がそれぞれ前記底面に縫い付けられている案内部材からなっており、
それにより、前記案内部材と前記底面との間に両端が開口し、且つ、前記トンネルとしての変形可能な隙間が形成されていて、フォークリフトで、前記開口から前記隙間にフォークを挿入することによって持ち上げられることができることを特徴とする請求項１に記載のパレット機能付きフレキシブルコンテナバッグ。
【請求項３】
前記一対のフォークスリーブ手段は、いずれも、更に、前記案内部材と前記底面との間に、その前記底部の周縁より突出した両端部と該両端部の間にある本体部とからなる長尺材であり、該両端部が前記囲い部に折り畳んでから縫い付けられ、該本体部が前記底面に縫い付けられている強化部材が挟まれており、
それにより、前記案内部材と前記強化部材との間に両端が開口し、且つ、前記トンネルとしての隙間が形成されていて、フォークリフトで、前記開口から前記隙間にフォークを挿入することによって持ち上げられることができることを特徴とする請求項２に記載のパレット機能付きフレキシブルコンテナバッグ。
【請求項４】
前記案内部材と前記強化部材はそれぞれ前記袋状の部分より丈夫で厚い材料で拵えられたことを特徴とする請求項３に記載のパレット機能付きフレキシブルコンテナバッグ。
【請求項５】
それぞれ前記上部から突出していてそれらを介して上方へ吊り上げられる複数の吊手が設けられていることを特徴とする請求項３または４に記載のパレット機能付きフレキシブルコンテナバッグ。
【請求項６】
前記注入口を締めて閉塞する封止手段が設けられていることを特徴とする請求項５に記載のパレット機能付きフレキシブルコンテナバッグ。
【発明の詳細な説明】
【技術分野】
【０００１】
本発明は、フレキシブルコンテナバッグに関し、特に、パレット機能付きフレキシブルコンテナバッグに関する。
【背景技術】
【０００２】
従来から、プラスチック製あるいはポリエチレン、ポリプロピレンなど合成樹脂製の材料を用いて可撓性を有する袋体のように製作してなり、その中に飼料、農産物、食品、医薬品、工業原料など各種貨物を積んで輸送するフレキシブルコンテナバッグは一般に知られている。
【０００３】
図１に示すのを例として挙げると、従来のフレキシブルコンテナバッグ１は、その上部に注入口１１３を有し、即ち、底部１１１と該底部１１１から上に延伸してなっている囲い部１１２とからなった袋体１１に構成されており、且つ、前記上部に複数の吊手１２が設けられている。該従来のフレキシブルコンテナバッグ１の使用時に、前記注入口１１３から貨物を積み込む充填作業の後、図２に示すように、クレーンまたは起重機器で前記複数の吊手１２を介して前記袋体１１を上方へ吊り上げてから２のフォーク挿入口２１，２１が設けられているパレット２に載せ、そして、図示のように、フォークリフト３の一対のフォーク３１を前記パレット２の２のフォーク挿入口２１に挿入して前記フレキシブルコンテナバッグ１と前記パレット２と共に持ち上げてコンテナや倉庫など所定の場所に運んで積み重ねる（図３に参照）。
【０００４】
このような従来のフレキシブルコンテナバッグ１の荷役作業はパレット２を利用しなければならない上、利用済みのパレット２が通常返送されないので、輸送コストが高くなる。また、前記パレット２の多くは木製であるので、木材に細菌や黴菌などが繁殖したり害虫がわいたりしないように、予め木材を消毒しなければならない。プラスチックまたは紙でパレット２を製造したら衛生問題を解消できるが、輸送コストが相変わらず低減できなく、延いては環境保護に不利益になる。なお、前記コンテナにフレキシブルコンテナバッグ１を積み重ねる時、それを持ち上げても吊り上げても、パレット２の占める空間やフォーク３１で吊手１２を介して吊って出入りする空間を予め空ける必要があるため、充填作業の時にコンテナの高さ及び運搬空間を考慮しなければならないので、最大輸送量に達成できなくて輸送コストを引き下げない欠点もある。
【発明の開示】
【発明が解決しようとする課題】
【０００５】
上記に鑑みて、本発明の目的は、他にパレットを用いることなく、フレキシブルコンテナバッグがフォークリフトで容易に運搬され、且つ、コンテナの輸送量が増加できて、輸送コストが引き下げられるパレット機能付きフレキシブルコンテナバッグを提供しようとする。
【課題を解決するための手段】
【０００６】
前記目的を達成するために、本発明は、上部に注入口を有し、底部と該底部から上に延伸してなっている囲い部とからなった袋状のフレキシブルコンテナバッグにおいて、前記底部の底面に、それぞれが他の一つと平行に且つそれ自体に沿って内部にトンネルがなるように延在してから底部の周縁より突出しそこに開口していてフォークリフトのフォークが挿入される一対のフォークスリーブ手段が構成設置されていることを特徴とするパレット機能付きフレキシブルコンテナバッグを提供する。
【発明の効果】
【０００７】
前記構造によるパレット機能付きフレキシブルコンテナバッグは、その底部の底面に一対の互いに平行しているトンネル付きフォークスリーブ手段が形成されているため、他のパレットを利用することなく、フォークリフトのフォークを直接挿入してパレットとして機能することができる。
【発明を実施するための最良の形態】
【０００８】
以下、本発明の好ましい実施形態を詳しく説明する。なお、以下の説明においては、そのサイズに拘わらず、略同一の機能及び構成を有する構成要素については、同一符号を付し、重複説明は必要な場合にのみ行う。
【０００９】
まず、本発明のパレット機能付きフレキシブルコンテナバッグの好ましい実施形態を図４と図５を参照しながら説明する。このパレット機能付きフレキシブルコンテナバッグ４は、上部４３に注入口４４を有する袋状のものであって、底部４１と該底部４１から上に延伸してなっている囲い部４２とからなっている。
【００１０】
前記上部４３の数箇所にそれぞれ吊手４５が設けられており、それらを介してクレーンやフォークリフトなどでフレキシブルコンテナバッグ４が上方へ吊り上げられることができる。そして、図示のように紐などの、前記注入口４４を締めて閉塞する封止手段４６が設けられている。市販されているフレキシブルコンテナバッグは用途または内容物に応じるいろいろなタイプ、例えば、本発明の実施形態に示すような注入口の封止可能なタイプや、注入口全開のタイプ、上部に注入口を有するほかに底部に排出口も備えているタイプなどがあるが、ここに基本のタイプのみを例として説明する。
【００１１】
また、前記底部４１に一対のフォークスリーブ手段５，５が設置されている。該一対のフォークスリーブ手段５，５は、トンネルのような中空のものであって、底部４１の底面に沿って平行に延在してから底部４１の周縁より突出し且つそこに開口していてフォークリフト（３）のフォーク（３１）が挿入されるように構成されている。該一対のフォークスリーブ手段５，５は、図４のように、いずれも長尺状の強化部材５１と案内部材５２とからなっている。前記強化部材５１は、前記底部４１の周縁より突出した両端部５１２，５１２と該両端部５１２，５１２の間にある本体部５１１とからなっており、前記底部４１の底面と前記案内部材５２との間に挟まれているものである。且つ、該強化部材５１の両端部５１２，５１２が前記囲い部４２に折り畳んでから縫い付けられ、本体部５１１が前記底面に縫い付けられている。前記案内部材５２の、前記底部４１の周縁より突出した両端部５２２，５２２以外の長手方向に沿う中間部５２１の両側縁がそれぞれ前記強化部材５１を挟んで前記底面に縫い付けられている。
【００１２】
また、前記強化部材５１と前記案内部材５２は、いずれも可撓的長尺材であり、その材質が特に限定されず、前記袋状の部分より丈夫で厚い、例えば３倍の厚い材料で拵えらればよい。即ち、前記案内部材５２と前記強化部材５１との間に前記トンネルのような中空とし且つ前記底部４１と前記囲い部４２との境の下方に開口した変形可能な隙間５３が形成されている。従って、該隙間５３，５３は従来のパレットのフォーク挿入口とされて機能することができる。
【００１３】
荷役作業の時、図６のようにフォークリフト３を操作して前記強化部材５１の端部５１２と前記案内部材５２の端部５２２との案内によって前記開口から前記隙間５３，５３にフォーク３１，３１を挿入してから、フレキシブルコンテナバッグ４を持ち上げてコンテナに運んで積み畳んだ後、前記フォーク３１，３１をそこから退去させることで済む。更に、前記丈夫で且つもっと厚い強化部材５１の両端部５１２，５１２は前記囲い部４２に縫い付けられているので、フォーク３１，３１に突っ込まれて内容物が外へ漏れることを防止することができる。
【００１４】
図８に示すのは本発明のパレット機能付きフレキシブルコンテナバッグ４の他の実施形態である。この実施形態において、前記一対のフォークスリーブ手段５，５は、前記強化部材５１を有せず、その前記底部４１の周縁より突出した両端部５２２，５２２以外の長手方向に沿う両側縁がそれぞれ前記底面に縫い付けられている案内部材５２，５２だけからなっている。それにより、前記案内部材５２と前記底面４１との間に両端が開口し且つ前記のようにトンネルのように中空状としての変形可能な隙間５３，５３が形成されていて、フォークリフト３で、前記開口から前記隙間５３，５３にフォーク３１，３１を挿入することによってフレキシブルコンテナバッグ４が持ち上げられることができる。
【産業上の利用可能性】
【００１５】
前記実施形態から分かるように、本発明は、フレキシブルコンテナバッグの底部の底面にパレットに等しい効用を有するフォークスリーブ手段が構成設置されているため、他にパレットを用いる必要がないので、運搬作業は従来のようにフレキシブルコンテナバッグをパレットに載置させてからコンテナに運ぶ必要がなくて簡便になる上、パレットを購入する費用も不要であり、コンテナの輸送量も従来より多くなることができる。
【００１６】
以上説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【図面の簡単な説明】
【００１７】
【図１】従来のフレキシブルコンテナバッグの斜視図
【図２】従来のフレキシブルコンテナバッグの運搬時の動作説明図
【図３】従来のフレキシブルコンテナバッグのパレットと共にコンテナに積み付けられている状態を示す斜視図
【図４】本発明のパレット機能付きフレキシブルコンテナバッグの好ましい実施形態の分解斜視図
【図５】前記実施形態の組立後の斜視図
【図６】フォークリフトで前記実施形態のパレット機能付きフレキシブルコンテナバッグを持ち上げて運搬している際の動作説明図
【図７】前記実施形態のパレット機能付きフレキシブルコンテナバッグのコンテナに積み付けられている状態を示す斜視図
【図８】本発明のパレット機能付きフレキシブルコンテナバッグの他の実施形態の斜視図
【符号の説明】
【００１８】
１      従来のフレキシブルコンテナバッグ
１１    袋体
１１１  底部
１１２  囲い部
１１３  注入口
１２    吊手
２      パレット
２１    フォーク挿入口
３      フォークリフト
３１    フォーク
４      パレット機能付きフレキシブルコンテナバッグ
４１    底部
４２    囲い部
４３    上部
４４    注入口
４５    吊手
４６    封止手段
５      フォークスリーブ手段
５１    強化部材
５１１  強化部材の本体部
５１２  強化部材の両端部
５２    案内部材
５２１  案内部材の中間部
５２２  案内部材の両端部
５３    隙間
【図１】
2005162299.tif 000003
【図２】
2005162299.tif 000004
【図３】
2005162299.tif 000005
【図４】
2005162299.tif 000006
【図５】
2005162299.tif 000007
【図６】
2005162299.tif 000008
【図７】
2005162299.tif 000009
【図８】
2005162299.tif 000010